(57)【要約】【課題】足のツボを刺激することにより、足の血行を促進し、老化やボケ等の改善に効果のある足指のマッサージ具を提供する。【解決手段】本発明は、弾力性のある柱体の側面を窪ませて足の指の間に挟着可能に成形し、柱体の下部から足の指側に延びる下刺激部を設け、柱体の上部から後方に延びる上刺激部を設け、柱体の側面から足の指側に突起した横刺激部を設け、柱体の上部に足の指の上側を覆う脱落防止用の傘部を設けたことを特徴とする足指のマッサージ具の構成とした。【選択図】図１
2010148850.tif 000002
【特許請求の範囲】
【請求項１】
弾力性のある柱体の側面を窪ませて足の指の間に挟着可能に成形したことを特徴とする足指のマッサージ具。
【請求項２】
柱体の下部から足の指側に延びる下刺激部を設けたことを特徴とする請求項１に記載の足指のマッサージ具。
【請求項３】
柱体の上部から後方に延びる上刺激部を設けたことを特徴とする請求項１又は２に記載の足指のマッサージ具。
【請求項４】
柱体の側面から足の指側に突起した横刺激部を設けたことを特徴とする請求項１乃至３のいずれか１項に記載の足指のマッサージ具。
【請求項５】
柱体の側面から足の指側に複数の凹凸からなる横刺激部を設けたことを特徴とする請求項１乃至３のいずれか１項に記載の足指のマッサージ具。
【請求項６】
柱体の上部に足の指の上側を覆う傘部を設けたことを特徴とする請求項１乃至５のいずれか１項に記載の足指のマッサージ具。
【請求項７】
柱体の下部から下刺激部とは反対側の足の指側に延びる逆下刺激部を設けたことを特徴とする請求項２乃至６のいずれか１項に記載の足指のマッサージ具。
【請求項８】
複数の柱体の下刺激部と逆下刺激部を連結し複数の足の指に挟着可能に成形したことを特徴とする請求項７に記載の足指のマッサージ具。
【請求項９】
前記下刺激部又は逆下刺激部の底面に溝を設けたことを特徴とする請求項２乃至請求項８のいずれか１項に記載の足指のマッサージ具。
【請求項１０】
請求項１乃至９のいずれか１項に記載の足指のマッサージ具と一体成形したことを特徴とする中敷き。
【請求項１１】
請求項１乃至９のいずれか１項に記載の足指のマッサージ具を取り付けたことを特徴とするスリッパ。
【請求項１２】
上層に空けた孔に足指のマッサージ具を貫通させ、前記足指のマッサージ具の底部に設けた縁を上層と下層の間に挟んだことを特徴とする請求項１１に記載のスリッパ。
【請求項１３】
凸状に湾曲した底部と、前記底部の両側に起立する左右刺激部とからなり、前記左右刺激部の間に足の指を挟み、前記底部を押圧することで前記左右刺激部が指側へ撓ることを特徴とする足指のマッサージ具。
【請求項１４】
左右刺激部の上端が外側に反っていることを特徴とする請求項１３に記載の足指のマッサージ具。
【請求項１５】
左右刺激部の上端にキャップを付けたことを特徴とする請求項１３に記載の足指のマッサージ具。
【請求項１６】
前記左右刺激部の指側の何れか１方に、１以上の突起を形成したことを特徴とする請求項１３乃至請求項１５の何れか１項に記載の足指のマッサージ具。
【請求項１７】
前記突起が、後方から前方の一面に線状又上方から下方に向け複数線状に形成されたことを特徴とする請求項１６に記載の足指のマッサージ具。
【発明の詳細な説明】
【技術分野】
【０００１】
本発明は、足のツボを刺激することにより、足の血行を促進し、老化やボケ等の改善に効果のある足指のマッサージ具に関するものである。
【背景技術】
【０００２】
靴を履いて長時間立ったままの姿勢でいたりすると、足が圧迫されることで血液の循環が阻害され、痺れたり浮腫んだりするだけでなく、全身に悪影響を及ぼす可能性もあることから、適度に足に刺激を与えて血行を促進することが好ましい。
【０００３】
足には全身の内臓等の器官を反映した反射区が存在しており、この反射区内のツボを刺激して対応する器官の機能を活性化させることにより、ホルモンや血流等のバランスを良くし、自然治癒力を向上させることができることが知られている。
【０００４】
特許文献１に記載されているように、装着したときに各足指を独立して運動させることができ、しかも使用者の足の形や足指のサイズに確実に適合させることができる足指パッドの発明も公開されている。
【発明の概要】
【発明が解決しようとする課題】
【０００５】
しかしながら、特許文献１に記載の発明は、各足指を独立して運動させることにより、足先の血行を良くすることに留まり、足ツボに対応する器官の機能を活性化させる効果までは期待できない。
【０００６】
そこで、本発明は、足のツボを刺激することにより老化やボケ等の改善に効果のある足指のマッサージ具を提供することを目的とするものである。
【課題を解決するための手段】
【０００７】
本発明は、上記の課題を解決するために、弾力性のある柱体の側面を窪ませて足の指の間に挟着可能に成形し、柱体の下部から足の指側に延びる下刺激部を設け、柱体の上部から後方に延びる上刺激部を設け、柱体の側面から足の指側に突起した横刺激部を設け、柱体の上部に足の指の上側を覆う脱落防止用の傘部を設けたことを特徴とする足指のマッサージ具の構成とした。
【０００８】
より具体的には、弾力性のある柱体の側面を窪ませて足の指の間に挟着可能に成形したことを特徴とする足指のマッサージ具の構成、柱体の下部から足の指側に延びる下刺激部を設けたことを特徴とする前記足指のマッサージ具の構成、柱体の上部から後方に延びる上刺激部を設けたことを特徴とする前記いずれかに記載の足指のマッサージ具の構成、柱体の側面から足の指側に突起した横刺激部を設けたことを特徴とする前記いずれかに記載の足指のマッサージ具の構成、柱体の側面から足の指側に複数の凹凸からなる横刺激部を設けたことを特徴とする前記いずれかに記載の足指のマッサージ具の構成、柱体の上部に足の指の上側を覆う傘部を設けたことを特徴とする前記いずれかに記載の足指のマッサージ具の構成、柱体の下部から下刺激部とは反対側の足の指側に延びる逆下刺激部を設けたことを特徴とする前記いずれかに記載の足指のマッサージ具構成、複数の柱体の下刺激部と逆下刺激部を連結し複数の足の指に挟着可能に成形したことを特徴とする前記足指のマッサージ具の構成、前記下刺激部又は逆下刺激部の底面に溝を設けたことを特徴とする前記いずれかに記載の足指のマッサージ具の構成とした。
【０００９】
さらに、前記のいずれかに記載の足指のマッサージ具と一体成形したことを特徴とする中敷きの構成、前記いずれかに記載の足指のマッサージ具を取り付けたことを特徴とするスリッパの構成、上層に空けた孔に足指のマッサージ具を貫通させ、前記足指のマッサージ具の底部に設けた縁を上層と下層の間に挟んだことを特徴とする前記スリッパの構成とした。
【００１０】
また、凸状に湾曲した底部と、前記底部の両側に起立する左右刺激部とからなり、前記左右刺激部の間に足の指を挟み、前記底部を押圧することで前記左右刺激部が指側へ撓ることを特徴とする足指のマッサージ具の構成、左右刺激部の上端が外側に反っていることを特徴とする前記足指のマッサージ具の構成、左右刺激部の上端にキャップを付けたことを特徴とする前記足指のマッサージ具の構成、前記左右刺激部の指側の何れか１方に、突起を形成したことを特徴とする前記何れかに記載の足指のマッサージ具の構成、前記突起が、後方から前方の一面に線状又上方から下方に向け複数線状に形成されたことを特徴とする前記足指のマッサージ具の構成とした。
【発明の効果】
【００１１】
本発明は、靴下、靴等を履いた状態でも使用でき、足裏にある脳や神経を活性化させるツボを刺激することができる。特に、親指と人差し指の間に挟んだ場合には、記憶力や集中力を向上させ、物忘れの頻度を減少させたり、老化現象に伴うボケを抑制することができる。また、人差し指と中指の間に挟んだ場合には、目の疲れを防止、改善することができる。さらに、足裏のツボを刺激することで下肢部の血行を促進し、冷え性の改善にも寄与する。
【図面の簡単な説明】
【００１２】
【図１】本発明である足指のマッサージ具の斜視図である。
【図２】本発明である足指のマッサージ具の平面図、側面図及び背面図である。
【図３】本発明である足指のマッサージ具に下刺激部を設けた場合の斜視図である。
【図４】本発明である足指のマッサージ具に下刺激部を設けた場合の平面図、側面図及び背面図である。
【図５】本発明である足指のマッサージ具に上刺激部を設けた場合の斜視図である。
【図６】本発明である足指のマッサージ具に上刺激部を設けた場合の平面図、側面図及び背面図である。
【図７】本発明である足指のマッサージ具に横刺激部を設けた場合の斜視図である。
【図８】本発明である足指のマッサージ具に横刺激部を設けた場合の平面図、側面図及び背面図である。
【図９】本発明である足指のマッサージ具に複数の凹凸からなる横刺激部を設けた場合の斜視図である。
【図１０】本発明である足指のマッサージ具に複数の凹凸からなる横刺激部を設けた場合の平面図、側面図及び背面図である。
【図１１】本発明である足指のマッサージ具に傘部を設けた場合の斜視図である。
【図１２】本発明である足指のマッサージ具に傘部を設けた場合の平面図、側面図及び背面図である。
【図１３】本発明である足指のマッサージ具に逆下刺激部を設けた場合の斜視図である。
【図１４】本発明である足指のマッサージ具に逆下刺激部を設けた場合の平面図、側面図及び背面図である。
【図１５】本発明である足指のマッサージ具を複数の足の指に対応させた場合の斜視図である。
【図１６】本発明である足指のマッサージ具を複数の足の指に対応させた場合の装着時の斜視図である。
【図１７】本発明である足指のマッサージ具で刺激できる足裏の反射区の一部を示す図である。
【図１８】本発明である足指のマッサージ具を靴の中敷きに一体成形した場合の斜視図である。
【図１９】本発明である足指のマッサージ具を鼻緒式スリッパに取り付けた場合の斜視図である。
【図２０】本発明である足指のマッサージ具をバンド式スリッパに取り付けた場合の斜視図である。
【図２１】本発明である足指のマッサージ具の下刺激部に溝を設けた場合の斜視図である。
【図２２】本発明である足指のマッサージ具の第２形態の説明図である。
【図２３】本発明である足指のマッサージ具の第２形態の説明図である。
【図２４】本発明である足指のマッサージ具の第２形態の説明図である。
【図２５】本発明である足指のマッサージ具の第２形態の端処理を施した場合の２種の形態の斜視図である。
【図２６】本発明である足指のマッサージ具の第２形態の足指への装着時の断面図である。
【図２７】本発明である足指のマッサージ具の第２形態の装着時の斜視図である。
【発明を実施するための形態】
【００１３】
本発明は、足のツボを刺激することにより老化やボケ、血行等を改善するという目的を、弾力性のある柱体の側面を窪ませて足の指の間に挟着可能に成形し、柱体の下部から足の指側に延びる下刺激部を設け、柱体の上部から後方に延びる上刺激部を設け、柱体の側面から足の指側に突起した横刺激部を設け、柱体の上部に足の指の上側を覆う脱落防止用の傘を設けることで実現した。
【実施例１】
【００１４】
以下に、添付図面に基づいて、本発明である足指のマッサージ具について詳細に説明する。図１は、本発明である足指のマッサージ具の斜視図である。なお、図１の吹き出し円内の足指の指圧具１は、足３の甲部方向からの斜視図である。図２は、本発明である足指のマッサージ具の平面図（Ａ）、側面図（Ｂ）及び背面図（Ｃ）である。
【００１５】
足指のマッサージ具１は、弾力性のある柱体２の側面を窪ませて足３の指の間に挟着可能に成形したことを特徴とする。
【００１６】
足指のマッサージ具１である柱体２は、柱状で頂部２ａ及び底部２ｂは楕円形状又は角を丸めた矩形状であり、頂部２ａと底部２ｂのサイズはほぼ同じであるが、側面は滑らかに内側へ湾曲させて細くした形状である。頂部２ａと底部２ｂは、足指の指圧具１の脱落を防止する。
【００１７】
柱体２の素材は、エラストマー、ゴム、シリコン、紙粘土やプラスチックなど人体に悪影響が無く、足３に装着した際に不快感の無いものが好ましい。さらに、側面に貫通孔を設け足指の指圧具に通気性を付与することができる。通気性、吸湿性ある素材で被覆してもよい。
【００１８】
足３の指の間に挟んだ際に、指の横側が当たる部分が横当て部２ｃであり、指の間の付け根が当たる部分が付け根当て部２ｄであり、指の横側と付け根を同時に刺激することができる。尚、指が当たらない前端部分については凹ましても凸ばらせても構わない。
【００１９】
本発明である足指のマッサージ具は、親指と人差し指の間、人差し指と中指の間、中指と薬指の間、又は薬指と小指の間のいずれにも挟むことが可能であり、複数同時に挟んでも良い。尚、挟む場所に応じてサイズは調整する。
【実施例２】
【００２０】
図３は、本発明である足指のマッサージ具に下刺激部を設けた場合の斜視図である。図４は、本発明である足指のマッサージ具に下刺激部を設けた場合の平面図（Ａ）、側面図（Ｂ）及び背面図（Ｃ）である。
【００２１】
足指のマッサージ具１ａは、柱体２の下部から足３の指側に延びる下刺激部４を設けたことを特徴とする。
【００２２】
下刺激部４は、柱体２の横当て部２ｃの下部で且つ付け根当て部２ｄ側から、指の下側を横断するように、柱体２の横方向に突起を延ばす。突起の下面は平らにし、上面は滑らかな山状にすることで、指の下側を刺激することができるようにする。
【００２３】
例えば、親指と人差し指の間に挟んだ場合、親指側に下刺激部４を延ばせば親指の下側を刺激することができ、人差し指側に下刺激部４を延ばせば人差し指の下側を刺激することができる。
【実施例３】
【００２４】
図５は、本発明である足指のマッサージ具に上刺激部を設けた場合の斜視図である。図６は、本発明である足指のマッサージ具に上刺激部を設けた場合の平面図（Ａ）、側面図（Ｂ）及び背面図（Ｃ）である。
【００２５】
足指のマッサージ具１ｂは、柱体２の上部から後方に延びる上刺激部５を設けたことを特徴とする。
【００２６】
上刺激部５は、柱体２の頂部２ａで且つ付け根当て部２ｄ側から、指の付け根の上側を縦断するように、柱体２の後方向に突起を延ばす。突起の下面は滑らかな山状にし、やや下側へ湾曲させることで、指の間の上側を刺激することができるようにする。
【実施例４】
【００２７】
図７は、本発明である足指のマッサージ具に横刺激部を設けた場合の斜視図である。図８は、本発明である足指のマッサージ具に横刺激部を設けた場合の平面図（Ａ）、側面図（Ｂ）及び背面図（Ｃ）である。
【００２８】
足指のマッサージ具１ｃは、柱体２の側面から足３の指側に突起した横刺激部６を設けたことを特徴とする。
【００２９】
横刺激部６は、柱体２の横当て部２ｃの中間の高さで且つ前端から付け根当て部２ｄ側にかけて、突起を設ける。突起の表面は滑らかな山状にすることで、指の横側を刺激することができるようにする。
【実施例５】
【００３０】
図９は、本発明である足指のマッサージ具に複数の凹凸からなる横刺激部を設けた場合の斜視図である。図１０は、本発明である足指のマッサージ具に複数の凹凸からなる横刺激部を設けた場合の平面図（Ａ）、側面図（Ｂ）及び背面図（Ｃ）である。
【００３１】
足指のマッサージ具１ｄは、柱体２の側面から足３の指側に複数の凹凸からなる横刺激部６ａを設けたことを特徴とする。
【００３２】
横刺激部６ａは、柱体２の横当て部２ｃの中間の高さで且つ前端から付け根当て部２ｄ側にかけて、間欠的に複数の突起を設ける。各突起の表面は滑らかな山状にすることで、指の横側を刺激することができるようにする。
【００３３】
例えば、親指と人差し指の間に挟んだ場合、親指側に横刺激部６又は横刺激部６ａを設ければ親指の横側を刺激することができ、人差し指側に横刺激部６又は横刺激部６ａを設ければ人差し指の横側を刺激することができる。
【実施例６】
【００３４】
図１１は、本発明である足指のマッサージ具に傘部を設けた場合の斜視図である。図１２は、本発明である足指のマッサージ具に傘部を設けた場合の平面図（Ａ）、側面図（Ｂ）及び背面図（Ｃ）である。
【００３５】
足指のマッサージ具１ｅは、柱体２の上部に足３の指の上側を覆う脱落防止用の傘部７を設けたことを特徴とする。
【００３６】
傘部７は、柱体２の頂部２ａで且つ前端から付け根当て部２ｄ側にかけて、指の上側を覆うように、柱体２の横方向に突起を延ばす。突起の下面をやや湾曲させることで、指の上に載せることができるようにする。
【００３７】
例えば、親指と人差し指の間に挟んだ場合、親指側に傘部７を延ばせば親指の上に載せることができ、人差し指側に傘部７を設ければ人差し指の上に載せることができ、柱体２の脱落を防止することができる。
【００３８】
柱体２に下刺激部４、上刺激部５、横刺激部６、又は傘部７のどれを組み合わせて取り付けるかは任意である。例えば、下刺激部４と上刺激部５又は傘部７を組み合わせれば、指を上下から押さえることができ、フィット感を向上させることができる。
【実施例７】
【００３９】
図１３は、本発明である足指のマッサージ具に逆下刺激部を設けた場合の斜視図である。図１４は、本発明である足指のマッサージ具に逆下刺激部を設けた場合の平面図（Ａ）、側面図（Ｂ）及び背面図（Ｃ）である。
【００４０】
足指のマッサージ具１ｆは、柱体２の下部から下刺激部４とは反対側の足３の指側に延びる逆下刺激部４ａを設けたことを特徴とする。
【００４１】
下刺激部４ａは、柱体２の横当て部２ｃの下部で且つ付け根当て部２ｄ側から、指の下側を横断するように、柱体２の横方向に突起を延ばす。突起の下面は平らにし、上面は滑らかな山状にすることで、指の下側を刺激することができるようにする。
【００４２】
例えば、親指と人差し指の間に挟んだ場合、親指側に下刺激部４が延びており、人差し指側に下刺激部４が延びているので、親指の下側と人差し指の下側を同時に刺激することができる。
【実施例８】
【００４３】
図１５は、本発明である足指のマッサージ具を複数の足の指に対応させた場合の斜視図である。図１６は、本発明である足指のマッサージ具を複数の足の指に対応させた場合の装着時の斜視図である。図１７は、本発明である足指のマッサージ具で刺激できる足裏の反射区の一部を示す図である。
【００４４】
足指のマッサージ具１ｇは、複数の柱体２の下刺激部４と逆下刺激部４ａを連結し足３の複数の指に挟着可能に成形したことを特徴とする。
【００４５】
柱体２の数を増やしてそれぞれを下刺激部４、４ａで連結させることにより、複数の指を刺激することができる。即ち、柱体２を４本にして５本の指全てに対応させることも可能である。
【００４６】
例えば、柱体２を２つにして、親指と人差し指と中指の間に挟む場合、親指の下側には下刺激部４を当て、人差し指の下側には下刺激部４と逆下刺激部４ａを連結した中間下刺激部４ｂを当て、中指の下側には逆下刺激部４ａを当てる。
【００４７】
また、親指と人差し指の間に挟む柱体２と、薬指と小指の間に挟む柱体２を設け、中間下刺激部４ｂで人差し指と中指と薬指の下側をまとめて刺激するようにすることも可能である。
【００４８】
足指のマッサージ具１ｇをどの指に装着するか、指のどこを刺激するかにより、期待できる効果が異なる。
【００４９】
足の表側においては、親指の爪の付け根で人差し指側に大敦というツボ３ａがあり、横刺激部６、６ａで押圧することで、気を高め体力を回復させ、目眩の症状を和らげる効果が期待できる。また、親指と人差し指の骨の間を辿り２本の骨が交わった所の手前には太衝というツボ３ｂがあり、上刺激部５で押圧することで、足の冷えを改善し、座骨神経痛を予防する効果が期待できる。
【００５０】
足の裏側においては、親指の腹全体は脳全体に関係しており、脳が疲労してくると脳の中枢神経の働きが鈍り、脳内の血液循環も悪くなるので、下刺激部４で押圧することにより、脳の血行を促進し、首や肩の緊張も解す効果が期待できる。尚、脳の血管が詰まると脳細胞が死んでボケに繋がるので、ボケ予防の効果も期待できる。
【００５１】
親指の付け根は首に通じており、下刺激部４を押圧することで、首の痛み、喉の炎症や痛みを緩和する効果が期待できる。また、親指の中心点は脳の中枢である脳下垂体を刺激することができ、ホルモンの分泌を正常化し、脳の疲れを取ることで、イライラが緩和され、抜け毛を防ぐ効果が期待できる。さらに、延髄を刺激することができれば、ストレスが原因で起こる頻尿を防止する効果も期待できる。
【００５２】
親指の人差し指側の側面は、側頭及び三叉神経の領域であり、横刺激部６、６ａで押圧することで、耳鳴りの他、歯痛や顔面神経痛など、顔面に関わるあらゆる不調を緩和・改善する効果が期待できる。また、人差し指及び中指の付け根の部分は、左右の目の領域であり、下刺激部４ａ、４ｂで押圧することで、目の疲れを取る効果が期待できる。
【実施例９】
【００５３】
図１８は、本発明である足指のマッサージ具を靴の中敷きに一体成形した場合の斜視図である。足指のマッサージ具１ｈは、上述の足指のマッサージ具１〜１ｇのいずれかの柱体２を靴の中敷き８に一体成形することも可能である。
【実施例１０】
【００５４】
図１９は、本発明である足指のマッサージ具を鼻緒式スリッパに取り付けた場合の斜視図である。図２０は、本発明である足指のマッサージ具をバンド式スリッパに取り付けた場合の斜視図である。スリッパには、サンダルなど類似の構造の異なる呼び方の履物も当然に含む。
【００５５】
足指のマッサージ具１ｉ、１ｊは、上述の足指のマッサージ具１〜１ｇのいずれかの柱体２をスリッパ９又はスリッパ１０に対し取り付ける。
【００５６】
鼻緒式スリッパ９の場合は、鼻緒９ａに柱体２を貼着又は縫着する。バンド式スリッパ１０のように、バンド１０ａに取り付けられない場合は、底部２ｂに縁２ｅを設けて貼着又は縫着する。
【００５７】
また、スリッパ１０の上層１０ｃに足指のマッサージ具１ｉの形状に孔１０ｅを空けた上で、縁２ｅが上層１０ｃと下層１０ｄの間に挟まるように、足指のマッサージ具１ｉを孔１０ｅから貫通させて表面１０ｂより上に出す。
【００５８】
尚、柱体２を単独で用いる場合は、足３に装着してから靴下等を履くことが可能であるが、中敷き８に一体成形したり、スリッパ９、１０に取り付けるような場合は、裸足で履く履き物が好ましい。
【実施例１１】
【００５９】
図２１は、本発明である足指のマッサージ具の下刺激部に溝を設けた場合の斜視図である。足指のマッサージ具１ｋは、図７（実施例４）のマッサージ具１ｂの下刺激部４の裏面に溝４ｃを設けた形状である。下刺激部４の裏側に溝４ｃを形成しておくことで、下刺激部４の弾力性を調整することができる。
【００６０】
例えば、溝４ｃなしの下刺激部４では刺激が強い場合には、溝４ｃ設けた下刺激部４にすることで刺激を緩和する。特に、靴下を履き、靴を履いて本発明を使用するときは刺激が強まる傾向にあるため、溝４ｃを設けたマッサージ具を使用するとよい。また、他の実施例においても溝４ｃを採用することができる。同様に、逆刺下激部４ａに設けてもよい。
【実施例１２】
【００６１】
図２２は、本発明である足指のマッサージ具の第２形態の説明図である。図２２Ａが足指のマッサージ具１ｍの斜視図、Ｂが足指への装着時の正面模式図である。
【００６２】
図２２の上段（Ａ）に示すように、足指のマッサージ具１ｍは、凸状に湾曲した凸部１１ａを有する底部１１と、底部１１の両側に起立する左刺激部１２及び右刺激部１２ａとからなる。さらに、図２２にあるように、左右刺激部１２、１２ａの指側の面には、後方から前方の全長に亘って線状に突起した横刺激部１２ｄが設けてもよい。横刺激部１２ｄは、左右刺激部１２、１２ａの何れか一方であってもよい。また、横刺激部１２を半球状に点在させてもよい。
【００６３】
足指のマッサージ具１ｍは、硬質のプラスチック等を素材とし、凸部１１ａと、底部１１から左右刺激部１２、１２ａに至る連設箇所を湾曲させることで、凸部１１ａと左右刺激部１２、１２ａに弾力性を持たせる。以下の実施形態においても同様である。
【００６４】
図２２の下段（Ｂ）に示すように、左刺激部１２と右刺激部１２ａの間に足の指を挟んだ際に、底部１１の凸部１１ａを押圧（下矢印）することで左刺激部１２と右刺激部１２ａが内側へ撓り（内向き矢印）、足の指の底面及び側面を刺激することができる。横刺激部１２を設けると、局所的に指圧することができる。
【００６５】
尚、前方に突出している箇所は、指への装着感を良くするために適宜形状を調整する。また、左刺激部１２及び右刺激部１２ａが内側を向いたとき、上端１２ｂの角で足の指の皮膚を痛めないように、端処理を施しても良い。
【００６６】
図２３も、本発明である足指のマッサージ具の第２形態の説明図である。図２３Ａが、足指のマッサージ具１ｑの斜視図である。図２３Ｂが、足指への装着時の正面模式図であり、点線が非押圧時、実線が凸部１１ａへの押圧時の状態を示している。
【００６７】
足指のマッサージ具１ｑは、図２２において、横刺激部１２ｄが、上端１２ｂ付近に設けられた他、同一である。横刺激部１２ｄを上端１２ｂ部付近に設けることで、足指で凸部１１ａ押圧することで、横刺激部がより足指３ｄの上部を局所的に刺激することができる。
【００６８】
図２４も、本発明である足指のマッサージ具の第２形態の説明図である。図２４Ａが足指のマッサージ具１ｒの斜視図、図２４Ｂが足指への装着時の正面模式図である。
【００６９】
図２４の上段（Ａ）に示すように、足指のマッサージ具１ｑは、凸状に湾曲した凸部１１ａを有する底部１１と、底部１１の両側に起立する左刺激部１２及び右刺激部１２ａとからなる。さらに、図２４にあるように、左右刺激部１２、１２ａの指側の面には、上方から下方に亘って線状に突起した複数の横刺激部１２ｅの列を設けてもよい。横刺激部１２ｅは、左右刺激部１２、１２ａの何れか一方であってもよい。また、横刺激部１２を半球状で、列状に点在させてもよい。
【００７０】
図２５は、本発明である足指のマッサージ具の第２形態の端処理を施した場合の２種の形態の斜視図である。図２６は、本発明である足指のマッサージ具の第２形態の足指への装着時の断面図である。図２７は、本発明である足指のマッサージ具の第２形態の装着時の斜視図である。
【００７１】
端処理として、図２５の上段（Ａ）に示すように、足指のマッサージ具１ｎは、上端１２ｃを外側へ反らしたり、図２５の下段（Ｂ）に示すように、足指のマッサージ具１ｐの上端１２ｂにゴム製などのキャップ１３を被せる。
【００７２】
図２６に示すように、左右刺激部１２、１２ａの上端１２ｃ、又はキャップ１３が足指３ｄの側部に位置する場合は、上端１２ｃ、キャップ１３部分で、足指３ｄを刺激する。
【００７３】
図２７に示すように、足指のマッサージ具１ｍ、１ｎ、１ｐを足３の親指に装着し、足指の側面をマッサージすると、鼻と関連するツボ３ｃを刺激することができるので、花粉症の症状を和らげる効果も期待できる。さらに、これらマッサージ具１ｍ、１ｎ、１ｐは、足の親指に限らす、足のどの指に装着することもできる。その場合は、適宜底部１１の長さ左右起立部１２、１２ａの大きさを脱落しないよう調整する。
【符号の説明】
【００７４】
１        足指のマッサージ具
１ａ      足指のマッサージ具
１ｂ      足指のマッサージ具
１ｃ      足指のマッサージ具
１ｄ      足指のマッサージ具
１ｅ      足指のマッサージ具
１ｆ      足指のマッサージ具
１ｇ      足指のマッサージ具
１ｈ      足指のマッサージ具
１ｉ      足指のマッサージ具
１ｊ      足指のマッサージ具
１ｋ      足指のマッサージ具
１ｍ      足指のマッサージ具
１ｎ      足指のマッサージ具
１ｐ      足指のマッサージ具
１ｑ      足指のマッサージ具
１ｒ      足指のマッサージ具
２        柱体
２ａ      頂部
２ｂ      底部
２ｃ      横当て部
２ｄ      付け根当て部
２ｅ      縁
３        足
３ａ      ツボ
３ｂ      ツボ
３ｃ      ツボ
３ｄ      足指
４        下刺激部
４ａ      下刺激部
４ｂ      下刺激部
４ｃ      溝
５        上刺激部
６        横刺激部
６ａ      横刺激部
７        傘部
８        中敷き
９        スリッパ
９ａ      鼻緒
１０        スリッパ
１０ａ      バンド
１０ｂ      表面
１０ｃ      上層
１０ｄ      下層
１０ｅ      孔
１１        底部
１１ａ      凸部
１２        左刺激部
１２ａ      右刺激部
１２ｂ      上端
１２ｃ      上端
１２ｄ      横刺激部
１２ｅ      横刺激部
１３        キャップ
【先行技術文献】
【特許文献】
【００７５】
【特許文献１】特開２００８−１２０７７号公報
【図１】
2010148850.tif 000003
【図２】
2010148850.tif 000004
【図３】
2010148850.tif 000005
【図４】
2010148850.tif 000006
【図５】
2010148850.tif 000007
【図６】
2010148850.tif 000008
【図７】
2010148850.tif 000009
【図８】
2010148850.tif 000010
【図９】
2010148850.tif 000011
【図１０】
2010148850.tif 000012
【図１１】
2010148850.tif 000013
【図１２】
2010148850.tif 000014
【図１３】
2010148850.tif 000015
【図１４】
2010148850.tif 000016
【図１５】
2010148850.tif 000017
【図１６】
2010148850.tif 000018
【図１７】
2010148850.tif 000019
【図１８】
2010148850.tif 000020
【図１９】
2010148850.tif 000021
【図２０】
2010148850.tif 000022
【図２１】
2010148850.tif 000023
【図２２】
2010148850.tif 000024
【図２３】
2010148850.tif 000025
【図２４】
2010148850.tif 000026
【図２５】
2010148850.tif 000027
【図２６】
2010148850.tif 000028
【図２７】
2010148850.tif 000029